(57)【要約】      （修正有）【課題】蛍光ランプの取り付けまたは交換が簡便かつ容易に行われ、ユーザーが不要な挿抜力を作用させてしまうのを防止する代替蛍光ランプホルダーアセンブリを提供する。【解決手段】蛍光ランプホルダーアセンブリは、ランプホルダーと、ソケットとを備え、ランプホルダー１５は、一対の電気端子を収容し、電気端子の位置に対応する位置に配置された一対の開口部３０と、一端が端子に接続され、自由端がランプホルダーの本体部から突出している一対の平行離間脚部３５とを備えている。ソケット２０は、挿入口４５を規定する一対の離間電気端子を有し、ランプホルダーは、脚部３５をソケットの端子に挿入することでソケットに連結できる。ホルダーアセンブリは、ホルダーとソケットを引き抜くことができる開放位置と、ホルダーとソケットが一緒に保持される係止位置との間で移動可能な解除式の弾性的に付勢された係止手段６０をさらに備える。【選択図】図４
0003190168.tif 000002
【実用新案登録請求の範囲】
【請求項１】
［ａ］少なくとも一対の電気端子を収容する本体部を有し、前記本体部は、少なくとも一つの壁（５５）に少なくとも一対の開口部（３０）を備え、前記開口部（３０）は、電気端子の位置に対応する位置に配置され、各開口部（３０）が１つの対応する端子に通じるようになっているランプホルダー（１５）と、
［ｂ］少なくとも一対の離間電気端子を有するソケット（２０）と、を備え、
前記ランプホルダー（１５）は、少なくとも一対の平行離間脚部（３５）を備え、各脚部（３５）の一端が前記端子に接続され、各脚部（３５）の自由端が前記本体部から突出しており、
離間電気端子のそれぞれは、前記ソケット（２）の対応する端子に前記ランプホルダ（１５）の対応する脚部（３５）を挿入ことによって前記ランプホルダ（１５）がソケット（２０）に連結できるように挿入口（４５）を規定し、これによって電気接続手段を規定している、蛍光ランプホルダーアセンブリ（１０）において、
前記ホルダーアセンブリ（１０）は、
［ｃ］前記ホルダー（１５）及び前記ソケット（２０）を引き抜くことができる開放位置と、前記ホルダー（１５）及び前記ソケット（２０）が一緒に保持される係止位置との間で移動可能な、解除式の、弾性的に付勢された係止手段（６０）をさらに備え、
［ｄ］前記係止手段（６０）は、前記電気接続手段から隔てられており、
［ｅ］前記ホルダー（１５）は、二面を有し、前記壁（５５）に配置された第１対の開口部（３０）と、前記壁（５５）に対向する後壁（５６）に配置された第２対の開口部（３０）とを備え、正面から見た前記第１対の開口部（３０）と正面から見た前記第２対の開口部（３０）の向きが同一であることを特徴とする蛍光ランプホルダーアセンブリ（１０）。
【請求項２】
前記係止手段（６０）は、スナップフィット係止機構を備えたことを特徴とする、請求項１に記載の蛍光ランプホルダーアセンブリ（１）。
【請求項３】
前記係止手段（６０）は、前記脚部（３５）の方向に前記本体部から突出しており、前記開放位置と前記係止位置の間の旋回ゾーン（８０）にて前記本体部の壁に旋回自在に配置された片持ちアーム（６５）を少なくとも備え、前記アーム（６５）の自由端には、ソケット（２０）の対応する肩部（７５）に係合するように配置された側突起（７０）が設けられていることを特徴とする、請求項１または２に記載の蛍光ランプホルダーアセンブリ（１）。
【請求項４】
前記係止手段（６０）は、前記旋回ゾーン（８０）から片持ちアーム（６５）と反対側に突出し、前記片持ちアーム（６５）を前記開放位置と前記係止位置との間で動作させるレバーアーム（８５）をさらに備えたことを特徴とする、請求項３に記載の蛍光ランプホルダーアセンブリ（１０）。
【請求項５】
前記係止手段（６０）は、前記レバーアーム（８５）から前記ホルダー（１５）の本体部に向かって突出し、その係止位置で係止手段（６０）を弾性的に付勢する舌部（９０）をさらに備えたことを特徴とする、請求項４に記載の蛍光ランプホルダーアセンブリ（１０）。
【請求項６】
前記係止手段（１０）は、その外面に、把持促進表面テクスチャまたはパターン（４０）を有することを特徴とする、請求項１または５に記載の蛍光ランプホルダーアセンブリ（１０）。
【請求項７】
蛍光ランプが消灯または切れたときに作動可能な補助照明手段（９５）を備えたことを特徴とする、請求項１または６に記載の蛍光ランプホルダーアセンブリ（１０）。
【請求項８】
前記挿入口（４５）は、平型および丸型断面の脚部（３５）の両方を受容するように構成されていることを特徴とする請求項１または７に記載の蛍光ランプホルダーアセンブリ（１０）。
【請求項９】
前記ホルダー（１５）は、異なるサイズの蛍光ランプ（１００）を受容するように適合された少なくとも二対の開口部（３０）を備えたことを特徴とする、請求項１または８に記載の蛍光ランプホルダーアセンブリ（１）。
【請求項１０】
前記ランプホルダー（１５）の前記壁（５５）は、細長いドック（２５）を備え、前記第１対の開口部（３０）は、細長いドック（２５）に配置され、前記細長いドック（２５）は、蛍光灯の端部を受容可能であることを特徴とする、請求項１に記載の蛍光ランプホルダーアセンブリ（１）。
【請求項１１】
さらにオン・オフスイッチ（１０５）をさらに備えたことを特徴とする、請求項１または１０に記載の蛍光ランプホルダーアセンブリ（１）。
【請求項１２】
前記ホルダー（１５）および前記ソケット（２０）は、それぞれ対応する対向壁（１１５、１２０）に嵌合ガイド要素（１１０ａ、１１０ｂ）を備えたことを特徴とする、請求項１または１１に記載の蛍光ランプホルダーアセンブリ（１）。
【考案の詳細な説明】
【考案の詳細な説明】
【０００１】
〔考案の背景〕
本考案は、電気工学に関し、特に、ランプホルダーに関し、より具体的には、請求項１の前文に係る管状の蛍光ランプホルダーに関する。バイピン蛍光ランプのための二つの最も一般的な蛍光ランプホルダーアセンブリとしては、いわゆる「ねじれ型」と「ばね型」がある。
【０００２】
図１に示す「ねじれ型」ランプホルダーアセンブリでは、ランプを取り付ける際、まず、蛍光ランプの両端にあるピンをこれらのピンを受容するように適合された放射状の溝に差し込み、次に、ランプをその縦軸周りに約９０度ねじって取り付けを完了させる必要がある。
【０００３】
図２に示す「ばね型」ランプホルダーアセンブリでは、ランプを取り付ける際、まず、ランプの一方の端部にあるピンを、ばねを設けたランプホルダーのピンドックに挿入する。次に、バネが内側に押した後、他方の端部にあるピンも同じ手順を踏む。ランプの各端部にあるばねの作用によって、ランプが所定に場所に保持される。
【０００４】
いずれの蛍光ランプホルダーアセンブリの場合でも、ランプの取り付けまたは交換には、特定のスキルを必要とし、これらの作業をはしごの上など一定の高さで行わなければならないときに特に困難となる。
【０００５】
これらの問題を解消するために、ソケットと接続可能なランプホルダーとを備えたランプホルダーアセンブリが提案されている。詳細には、ソケットは、照明器具に各端一つずつ固定され、電源に電気的に接続さる。ソケットは、ホルダーの脚部に対応する挿入口を規定する二つの電気端子を備えている。一方、ホルダーは、蛍光ランプの端子と電気的に接続可能な、ソケットの挿入口での接続に適応した二つの脚部を備えている。取り付けの際、まず、蛍光ランプの各端部にあるピンを対応するホルダー端子に挿入する。その後、このサブアセンブリは、蛍光ランプの軸に垂直な方向に、各ホルダーの脚部をそれぞれに対応するソケットの挿入口に挿入することによって、器具に接続される。しかしながら、この解決法には、ホルダーがソケットから緩んで、蛍光ランプが落ちてしまう可能性があるという問題がある。
【０００６】
この問題を解消するために、米国特許第２，４４９，７３６号には、ホルダーの本体に軸支されたつまみによって互いに向かって偏向させることができる突出バネ型錠脚部がホルダーに設けられた、上述した型のランプホルダーアセンブリが開示されている。また、これらの平行な脚部の自由端は、外側へ突出した突起を有している。ホルダーをソケットに差し込むと、ソケットの筐体内に設けられた収束斜面が突起、ひいては脚部を互いに向かって偏向させる。いったん突起がこれらの斜面を上回ると、脚部が元の位置に跳ね戻り、ソケットの対応する電気端子との電気的接触を確立する。さらに、突起によって、ホルダーがソケットから引き抜かれるのを防ぐことができる。この解決法には、より少ない圧力がソケットの端子とホルダーとの間に作用する圧力がと少ないため、それほど信頼性の高い電気的接触を達成することができないという欠点がある。さらに、ユーザーが、つまみに押し当てられた外側へ突出した突起を外すことなくソケットを引いてランプを交換しようとすると、脚部、ひいては電気的接触がひどく損傷する可能性がある。
【０００７】
英国特許第６３０，１４３号には、ソケットとホルダーとの間の固定手段が開示されている。ホルダーは、ピンの端部に設けられた溝がソケットに設けられたバネ要素に受容・保持されるまでホルダーの開口部にピンを通してソケットに差し込むことによってソケットに固定される。ピンがその軸周りに９０度回転すると、溝がバネ手段から外れ、これにより、ホルダーをソケットから取り外すことができる。このシステムは、非常に複雑であり、ピンがかなり小さいので、取り扱いが容易ではない。
【０００８】
また、米国特許第２，２３１，８５１号には、蛍光ランプホルダーアセンブリのソケットとホルダーとの間に固定手段が開示されている。この場合、ホルダーのブレードまたは平型端子には、ソケット端子の対応する凹部にはまるように適合された隆起が設けられている。この解決法では、ホルダーを組み立てたり分解したりするのに必要な挿抜力を不必要に増加させ、蛍光ランプの取り付けや交換を妨げる可能性がある。
【０００９】
米国特許第２，５１１，１５５号には、蛍光ランプを介したホルダーとソケットとの間の固定手段が開示されている。この目的を達成するために、照明器具は、照明器具の下側かつランプホルダーの間に位置するばねクリップを備えている。ばねクリップは、蛍光ランプの各端部にある接続ピンを支える金属製のスリーブを弾性的に保持するように配置されている。この解決法の欠点の一つは、ホルダーを抜き差しするときに、追加の力が蛍光ランプのピンに作用し、最終的には、抜き差しする作業中に両ホルダーがずれた場合、ピンの損傷につながる。
【００１０】
日本国特許３２９１８０３号には、ランプソケット搭載基台に取り外し可能に係合することができ、かつ、搭載基台に搭載するタイミングで継手片に接続される接続片を供するランプソケットが開示されている。照明器具を組み立てる際は、ランプソケット１２の嵌合部１５がランプソケット搭載基台４の嵌合凹部８に嵌合され、突起１６が凹段９に嵌合される一方、突起１６の接続片１７が凹段９の接続片１０に接触され、互いに電気的に接続される。突起１６の後部に設けられた弾性フック片１８が、このとき凹段９に形成された係合係止孔１１に係合することで、ランプソケット１２がランプソケット搭載基台４に係合、保持される。ランプソケット１２を搭載基台１４から取り外すときは、突起１６の後部に設けられた弾性フック片１８を押すことによって、弾性フック片１８と係合係止孔１１の間の係合が解除され、ランプソケット１２を搭載基台４から取り外すことができる。
【００１１】
そのため、本考案の目的は、蛍光ランプの取り付けまたは交換が簡便かつ容易に行われ、ユーザーが不要な挿抜力を作用させてしまうのを防止する代替蛍光ランプホルダーアセンブリを提供することである。
【００１２】
〔考案の概要〕
この目的は、請求項１の特徴部分の構成をさらに含む、冒頭に示されている蛍光ランプホルダーアセンブリによって達成される。
【００１３】
本考案のランプホルダーアセンブリによって、そのランプホルダーに取り付けた蛍光ランプの機械的保持機能が、給電機能から分けられる。換言すれば、係止手段は、所定の位置に蛍光ランプを保持する機能を担い、照明器具を天井から、または壁に掛けた際に蛍光ランプが自重で落下するのを防ぐ。したがって、ランプホルダーの脚部上のソケット端子によって及ぼされる保持力は、良好な電気接触を保証すると共に、ホルダー及び蛍光ランプの自重を支持しないような寸法にしさえすればよい。また、照明器具を壁に掛けたとき、係止手段は蛍光ランプの自重の一部を支持し、ホルダーの脚部はより適切に保持される。したがって、一般に、ランプホルダー付き蛍光ランプの抜き差しに必要な挿抜力を低減し、蛍光ランプの取り付けまたは交換を容易にする。
【００１４】
係止手段はできるだけ単純であることが望ましい。従って、好ましくは、係止手段は、スナップフィット係止機構を備えている。
【００１５】
本考案では、スナップフィット係止機構は、取り付けまたは交換手順のために追加の器具を必要しない簡単な方法で動作させることができるという点で便利である。したがって、好ましくは、上記係止手段は、前記脚部の方向に前記本体部から突出しており、前記開放位置と前記係止位置の間の旋回ゾーンにて前記本体部の壁に旋回自在に配置された片持ちアームを少なくとも備え、前記アームの自由端には、ソケットの対応する肩部に係合するように配置された側突起が設けられている。
【００１６】
本考案の好ましい実施形態では、前記係止手段は、前記旋回ゾーンから片持ちアームの反対側に突出して前記片持ちアームを開放位置と係止位置との間で動作させるレバーアームをさらに備えている。これにより、係止手段を解除するためにユーザーが大きな力をかけることなく、保持力を増加させることができる。
【００１７】
好ましくは、前記係止手段は、前記ホルダーの本体部に向かって前記レバーアームから突出して係止手段をその係止位置で弾性的に付勢する舌部をさらに備える。これにより、設計と組立を簡素化し、係止手段の付勢を保証するためにばねなどの追加部品を必要しないため、より頑強な構造を提供する。
【００１８】
好ましくは、係止手段は、ホルダーと蛍光ランプを引き抜く作業中に指が滑るのを防ぐために、その外面に把持促進表面テクスチャまたはパターンを有している。
【００１９】
好ましくは、前記アセンブリは、蛍光ランプが切れた際の交換を容易にするために、蛍光ランプが消灯または切れたときに作動可能な補助照明手段を備えている。
【００２０】
異なる種類のホルダーや蛍光ランプと動作するように適合された多目的ソケットを実現するために、好ましくは、前記挿入口は、平型および丸型断面の脚部の両方を受容するように構成されている。また、好ましくは、前記ホルダーは、異なるサイズの蛍光ランプを受容するように適合された少なくとも二対の開口部を備えている。これにより、生産する必要があるソケットの種類を減らすことができるため、生産・物流コストを低減することができる。
【００２１】
本考案のさらなる態様によれば、前記ホルダーは、二面を有し、前記壁に配置された第１対の開口部と、前記壁に対向する後壁に配置された第２対の開口部とを備えている。これにより、二つ隣接するランプの接続に必要なホルダーが一つで済むため、複数の蛍光ランプの直列接続を簡素化する。
【００２２】
また、好ましくは、前記ランプホルダーの壁は、細長いドックを備え、前記第１対の開口部は、細長いドックに配置され、前記細長いドックは、蛍光灯の端部を受容可能である。これにより、ランプホルダーを１８０度回転させるだけで、異なる長さの規格蛍光ランプの接続が可能になる。
【００２３】
また、本考案のランプホルダーアセンブリは、電気設備がほとんど利用できない場所での使用するための照明器具に取り付けられるものでもある。したがって、好ましくは、本考案のランプホルダーアセンブリは、オン・オフスイッチをさらに備える。これにより、照明器具を操作するために別途スイッチを設置する必要がなくなる。これは、例えば、最終的な電気設備がまだ利用できない建設現場で特に適している。
【００２４】
好ましくは、前記ホルダーおよび前記ソケットは、ガイドとして機能し、より良い連結を実現するために、それぞれ対応する対向壁に嵌合ガイド要素を備える。
【００２５】
〔図面の簡単な説明〕
本考案の他の利点および特徴は、非限定的な例として、本考案のいくつかの好適な実施形態が、添付図面を参照して説明されている以下の説明から理解されるであろう。
【００２６】
図１は、「ねじれ型」ランプホルダーアセンブリの斜視図を示す。
【００２７】
図２は、「ばね型」ランプホルダーアセンブリの斜視図を示す。
【００２８】
図３は、本考案に係る蛍光ランプホルダーアセンブリを備えた照明器具の斜視図を示す。
【００２９】
図４は、ランプホルダーアセンブリの正面斜視図を示す。
【００３０】
図５は、図４の左側に示したランプホルダーの背面斜視図を示す。
【００３１】
図６Ａは、開放位置におけるランプホルダーアセンブリの係止機構の概略前断面図を示す。
【００３２】
図６Ｂは、係止位置におけるランプホルダーアセンブリの係止機構の概略前断面図を示す。
【００３３】
図７は、垂直壁に掛けられた本考案に係るランプホルダーアセンブリの概略正面図を示す。
【００３４】
図８は、天井から吊り下げられた本考案に係るランプホルダーアセンブリの概略正面図を示す。
【００３５】
図９は、それぞれの側に蛍光ランプのピンのための二対の開口部を備えるランプホルダーの概略前面図を示す。
【００３６】
図１０は、図９のランプホルダーの側面図を示す。
【００３７】
図１１は、図９のランプホルダーの背面図を示す。
【００３８】
図１２は、それぞれの側に蛍光ランプのピンのための一対の開口部を含む細長いドックを備えるランプホルダーの正面図を示す。
【００３９】
図１３は、図１２のランプホルダーの側面図を示す。
【００４０】
図１４は、図１２のランプホルダーの背面図を示す。
【００４１】
図１５は、丸型接続脚部またはピンとランプホルダーの正面図を示す。
【００４２】
図１６は、平型および丸型接続脚部を設けたランプホルダーを受容するように適合されたソケットの斜視図を示す。
【００４３】
図１７は、ランプホルダーアセンブリの別の実施形態の斜視断面図を示す。
【００４４】
図１８は、図１７のランプホルダーアセンブリの前断面図を示しています。
【００４５】
〔考案の詳細な記述〕
図３〜５は、本考案に係るランプホルダーアセンブリの第１の実施形態を示す。
【００４６】
図に示すように、蛍光ランプホルダーアセンブリ１０は、一般的に、ランプホルダー１５とソケット２０とを備える。
【００４７】
ランプホルダー１５は、一対の電気端子と、ランプホルダー１５において蛍光ランプ１００が差し込まれる壁５５の電気端子へ通じる一対の開口部３０とを収容する本体部を有する。また、ランプホルダー１５は、一端が端子に接続され、自由端が本体部からソケット２０の方向に突出している一対の平行離間突出脚部３５を有する。
【００４８】
一方、ソケット２０は、照明器具１２５の対応するレールに導かれる外側凹部１３０を介して照明器具１２５に固定されており、一対の離間電気端子を有する。当業者に明らかなように、外側凹部１３０は、ソケット２０を照明器具１２５に取り付けるいくつかの方法の一つであり、本考案にとって本質的な特徴ではない。これらの各端子は、ホルダー１５の脚部３５を挿入することができる挿入口４５を規定し、電気的接続手段を規定する。
【００４９】
ホルダー１５及びソケット２０は、共に、当業者に周知の任意の適切な生産技術によって製造することができる。しかしながら、これら二つの要素の筐体は、アクリロニトリルブタジエンスチレン（ＡＢＳ）、ポリ塩化ビニル（ＰＶＣ）、ポリカーボネート（ＰＣ）やポリエチレン（ＰＥ）などの適切な材料で射出成形することによって製造されることが好ましい。これは、これらの材料が再生利用可能であるためである。一方、脚部及び電気端子、並びに脚部３５は、銅などのような任意の適切な導電性金属を打抜きや旋削することによって製造することができる。
【００５０】
図面では、特に、図６Ａ及び６Ｂから、ホルダーアセンブリ１０は、解除式の、弾性的に付勢された係止手段６０をさらに備えることが分かる。この特定の実施形態では、係止手段６０は、スナップフィット係止機構を備える。係止手段６０は、ホルダー１５とソケット２０とを引き抜くことができる開放位置（図６Ａ参照）と、ホルダー１５とソケット２０とが係止手段６０を介して一緒に保持される係止位置（図６Ｂ参照）との間で移動可能である。また、図面から当業者には明らかなように、係止手段６０は、前掲の段落ですでに説明した利点を有する電気的接続手段から隔てられている。
【００５１】
係止手段６０の構造について、図４並びに図６Ａ及び６Ｂに、ホルダー１５の側壁１３５に設けられた二つの動作可能な片持ちアームをより詳細に示す。これらのアーム６５は、脚部３５と同じ方向にホルダー１５の本体部から突出しており、旋回ゾーン８０で本体部側壁１３５に旋回自在に配置されている。したがって、この場合の付勢機能は、アーム６５の自己弾力性によって実現され、非常に単純で経済的な設計を提供する。また、アーム６５の自由端はフックの形をした側突起７０を有している。一方、ソケット２０には、抜き差しする作業中にアーム６５の自由端を通過させるように適合された二つの通路１４０が設けられている。そして、突起７０は、ソケット２０の内部の対応する肩部７５に係合するように配置されている。図６Ａは、ユーザーがホルダー１５を差し込む、あるいは引き抜く瞬間に対応するアーム６５の開放位置を概略的に示し、図６Ｂは、ランプホルダーアセンブリ１０が使用されている最中の係止位置を示す。また、これら二つの位置間の移動を容易にするために、係止手段１０は、片持ちアーム６５の外面に把持促進表面テクスチャやパターン４０を備える。また、取り立てて価値があることであるが、動作可能なアーム６５は、ホルダー１５に向かって突出するソケット２０上に配置することもできる。この場合、ホルダー１５は、通路１４を備え、それに対応する肩部７５は、突起７０に係合するように適合されている。
【００５２】
また、図４に、ホルダー１５及びソケット２０それぞれに対応する対向壁１１５、１２０に設けられた嵌合ガイド要素１１０ａ、１１０ｂを示す。この場合、ホルダー１５のガイド要素１１０ａは、ソケット２０の壁１２０に設けられた嵌合楔状の溝に挿入可能な壁１１５上の楔形突起である。しかしながら、半円状など他の形状の突起や溝も十分同じ調心および保持機能を果たすことができる。
【００５３】
図４及び５では、ランプホルダーアセンブリ１０の本実施形態は、補助照明手段９５を備えていることがさらに分かる。この照明手段９５は、ランプが消灯すると点灯するため、切れた蛍光ランプ１００の交換を容易にするという課題を解決する。
【００５４】
最後に、また、図５に、本考案のランプホルダーアセンブリ１０を後から取り付けた照明器具が取り付けられる部屋において事前に取り付けたスイッチの必要性を回避するオン・オフスイッチ１０５をランプホルダーアセンブリ１０に設けることができることを示す。
【００５５】
ここで、図７および８に基づけば、本考案の利点を理解することが容易になる。図７のランプホルダーアセンブリ１０は、垂直壁１５０に掛かっている。矢印は、自重１４５の作用を示す。当業者に明らかなように、ホルダー１５及び蛍光ランプ１００の自重１４５は、サブアセンブリを下方に引っ張る。したがって、本考案によって提案された解決法のおかげで、この自重１４５は、主に係止手段６０によって支持され、より正確には、自重１４５による引張応力下にある、図７における上側の係止手段６０によって支持される。このようにして、ランプホルダーアセンブリ１０の端子は保護されており、機械的な保持機能を発揮する必要がない。ホルダー１５及びソケット２０の端子は、良好な電気的接触を保証するような寸法取りされることだけが必要であるので、ホルダー１５の脚部３５に対するソケット２０の端子の圧力を減少させることができ、ホルダーの抜き差しをより容易に行うことができる。
【００５６】
図８に、照明器具１２５が天井１５５からぶら下がっている場合を示す。この場合、ホルダー１５の両側にある係止手段６０が自重１４５を支持する。実際、本考案の開発中に実施した試験中に、図３〜６Ｂに示す実施形態は、１２ｋｇの負荷を保持し、特別に強い機械的性能を保証し、以上のとおり、この機械的性能から照明器具の電気部品が恩恵を受ける。
【００５７】
図９〜１１に本考案の別の実施形態を示すが、上記で説明した機能のほとんどを備えているため、さらに詳細な説明は必要ない。しかしながら、この場合には、本実施形態のホルダー１５は、二面を有し、それぞれの側で異なる蛍光ランプ１００を受容するように適合された二対の開口部３０を備える。この特定の実施形態では、同じホルダー１５が、Ｔ５およびＴ８蛍光ランプの両方を収容できる。さらに、両面ホルダー１５は、前壁５５及び後壁５６の両側に二対の開口部３０を備える。この解決法によって、二つの隣接した蛍光ランプ１００は一つのランプホルダーアセンブリ１０しか必要としないため、複数の直列に配置した蛍光ランプ１００の取り付けをより簡潔にすることができる。
【００５８】
また、図１２〜１４に、両面ランプホルダー１５の別の実施形態を示す。この場合、前掲の段落の実施形態とは異なり、ホルダー１５は、前壁５５及び後壁５６の両側に一対の開口部３０を備える。さらに、ランプホルダー１５の壁５５は、第１対の開口部３０が蛍光ランプ１００を受容するために配置される細長いドック２５を備える。市場で最も一般的な蛍光ランプはＴ８とＴ５であるが、Ｔ８の方が、直径が大きくまた長い。Ｔ８及びＴ５蛍光ランプは、同じ照明器具で互換性を持って使用することはできない。しかしながら、図示したホルダー１５であれば、アダプターを使用することなく、同じ照明器具１２５を二つの異なる長さの蛍光ランプに使用することができる。この目的を達成するために、必要な長さにホルダーを適合させるためにホルダーを１８０度回転させればよい。
【００５９】
図１５および１６に、本考案のランプホルダーアセンブリ１０の第３の実施形態を示す。この場合も先と同様に、ほぼすべての機能がすでに前に説明されている。しかしながら、この場合、ランプホルダー１５には、丸型断面脚部３５が設けられている。この解決法によれば、ホルダー１５の構成をより頑強にし、ランプホルダーアセンブリ１０の耐久性を向上さえる。一方、図１６に、本実施形態のソケット２０がランプホルダー１５の平型および丸型断面脚部３５の両方を受容するように適合された挿入口４５を備えることを示す。このように、一つのソケット２０が、別のホルダー型に使えるため、生産・物流コストを著しく低減することができる。
【００６０】
最後に、図１７および１８に、本考案のランプホルダーアセンブリ１０のさらなる実施形態を示す。この場合、図４〜６Ｂですでに説明した一般的な特徴に加えて、ランプホルダーアセンブリ１０は、フックの形をした側突起７０を設けたホルダー１５の側壁１３５に旋回可能に配置された二つの動作可能な片持ちアーム６５を有している。さらに、係止機能は、ホルダー１５とソケット２０の筐体の外側から作用している。加えて、係止手段６０は、片持ちアーム６５の反対側に前記旋回ゾーン８０から突出して前記片持ちアーム６５を開放位置と係止位置の間で動作させるレバーアーム８５も備える。また、ホルダー１５の本体部に向かってレバーアーム８５から突出した凸縁９０は、係止手段６０をその係止位置で弾性的に付勢する。レバーアーム８５を設けることの利点の一つは、開放位置と係止位置の間で片持ちアーム６５を旋回させる際のユーザー労力が少なくて済むということである。さらに、使用中にランプホルダーアセンブリ１０を係止位置にとどまることを確実にするためのばねなどの追加弾性要素は、舌部９０がこの機能を担うため、必要がなくなる。
【図面の簡単な説明】
【００６１】
【図１】「ねじれ型」ランプホルダーアセンブリを示す斜視図である。
【図２】「ばね型」ランプホルダーアセンブリを示す斜視図である。
【図３】本考案に係る蛍光ランプホルダーアセンブリを備えた照明器具を示す斜視図である。
【図４】ランプホルダーアセンブリを示す正面斜視図である。
【図５】図４の左側に示したランプホルダーを示す背面斜視図である。
【図６Ａ】開放位置におけるランプホルダーアセンブリの係止機構を示す概略前断面図である。
【図６Ｂ】係止位置におけるランプホルダーアセンブリの係止機構を示す概略前断面図である。
【図７】垂直壁に掛けられた本考案に係るランプホルダーアセンブリを示す概略正面図である。
【図８】天井から吊り下げられた本考案に係るランプホルダーアセンブリを示す概略正面図である。
【図９】それぞれの側に蛍光ランプのピンのための二対の開口部を備えるランプホルダーを示す概略前面図である。
【図１０】図９のランプホルダーを示す側面図である。
【図１１】図９のランプホルダーを示す背面図である。
【図１２】それぞれの側に蛍光ランプのピンのための一対の開口部を含む細長いドックを備えるランプホルダーを示す正面図である。
【図１３】図１２のランプホルダーを示す側面図である。
【図１４】図１２のランプホルダーを示す背面図である。
【図１５】丸型接続脚部またはピンとランプホルダーを示す正面図である。
【図１６】平型および丸型接続脚部を設けたランプホルダーを受容するように適合されたソケットを示す斜視図である。
【図１７】ランプホルダーアセンブリの別の実施形態を示す斜視断面図である。
【図１８】図１７のランプホルダーアセンブリを示す前断面図である。
【図１】
0003190168.tif 000003
【図２】
0003190168.tif 000004
【図３】
0003190168.tif 000005
【図４】
0003190168.tif 000006
【図５】
0003190168.tif 000007
【図６Ａ】
0003190168.tif 000008
【図６Ｂ】
0003190168.tif 000009
【図７】
0003190168.tif 000010
【図８】
0003190168.tif 000011
【図９】
0003190168.tif 000012
【図１０】
0003190168.tif 000013
【図１１】
0003190168.tif 000014
【図１２】
0003190168.tif 000015
【図１３】
0003190168.tif 000016
【図１４】
0003190168.tif 000017
【図１５】
0003190168.tif 000018
【図１６】
0003190168.tif 000019
【図１７】
0003190168.tif 000020
【図１８】
0003190168.tif 000021
【手続補正書】
【提出日】平成25年10月21日(2013.10.21)
【手続補正１】
【補正対象書類名】実用新案登録請求の範囲
【補正対象項目名】全文
【補正方法】変更
【補正の内容】
【実用新案登録請求の範囲】
【請求項１】
［ａ］少なくとも一対の電気端子を収容する本体部を有し、前記本体部は、少なくとも一つの壁（５５）に少なくとも一対の開口部（３０）を備え、前記開口部（３０）は、電気端子の位置に対応する位置に配置され、各開口部（３０）が１つの対応する端子に通じるようになっているランプホルダー（１５）と、
［ｂ］少なくとも一対の離間電気端子を有するソケット（２０）と、を備え、
前記ランプホルダー（１５）は、少なくとも一対の平行離間脚部（３５）を備え、各平行離間脚部（３５）の一端が前記端子に接続され、各平行離間脚部（３５）の自由端が前記本体部から突出しており、
離間電気端子のそれぞれは、前記ソケット（２０）の対応する端子に前記ランプホルダー（１５）の対応する平行離間脚部（３５）を挿入ことによって前記ランプホルダー（１５）がソケット（２０）に連結できるように挿入口（４５）を規定し、これによって電気接続手段を規定している、蛍光ランプホルダーアセンブリ（１０）において、
前記蛍光ランプホルダーアセンブリ（１０）は、
［ｃ］前記ランプホルダー（１５）及び前記ソケット（２０）を引き抜くことができる開放位置と、前記ランプホルダー（１５）及び前記ソケット（２０）が一緒に保持される係止位置との間で移動可能な、解除式の、弾性的に付勢された係止手段（６０）をさらに備え、
［ｄ］前記係止手段（６０）は、前記電気接続手段から隔てられており、
［ｅ］前記ランプホルダー（１５）は、二面を有し、前記壁（５５）に配置された第１対の開口部（３０）と、前記壁（５５）に対向する後壁（５６）に配置された第２対の開口部（３０）とを備え、正面から見た前記第１対の開口部（３０）と正面から見た前記第２対の開口部（３０）の向きが同一であることを特徴とする蛍光ランプホルダーアセンブリ（１０）。
【請求項２】
前記係止手段（６０）は、スナップフィット係止機構を備えたことを特徴とする、請求項１に記載の蛍光ランプホルダーアセンブリ（１０）。
【請求項３】
前記係止手段（６０）は、前記平行離間脚部（３５）の方向に前記本体部から突出しており、前記開放位置と前記係止位置の間の旋回ゾーン（８０）にて前記本体部の壁に旋回自在に配置された片持ちアーム（６５）を少なくとも備え、前記片持ちアーム（６５）の自由端には、ソケット（２０）の対応する肩部（７５）に係合するように配置された側突起（７０）が設けられていることを特徴とする、請求項１または２に記載の蛍光ランプホルダーアセンブリ（１０）。
【請求項４】
前記係止手段（６０）は、前記旋回ゾーン（８０）から片持ちアーム（６５）と反対側に突出し、前記片持ちアーム（６５）を前記開放位置と前記係止位置との間で動作させるレバーアーム（８５）をさらに備えたことを特徴とする、請求項３に記載の蛍光ランプホルダーアセンブリ（１０）。
【請求項５】
前記係止手段（６０）は、前記レバーアーム（８５）から前記ランプホルダー（１５）の本体部に向かって突出し、その係止位置で係止手段（６０）を弾性的に付勢する舌部（９０）をさらに備えたことを特徴とする、請求項４に記載の蛍光ランプホルダーアセンブリ（１０）。
【請求項６】
前記係止手段（１０）は、その外面に、把持促進表面テクスチャまたはパターン（４０）を有することを特徴とする、請求項１または５に記載の蛍光ランプホルダーアセンブリ（１０）。
【請求項７】
蛍光ランプが消灯または切れたときに作動可能な補助照明手段（９５）を備えたことを特徴とする、請求項１または６に記載の蛍光ランプホルダーアセンブリ（１０）。
【請求項８】
前記挿入口（４５）は、平型および丸型断面の平行離間脚部（３５）の両方を受容するように構成されていることを特徴とする請求項１または７に記載の蛍光ランプホルダーアセンブリ（１０）。
【請求項９】
前記ランプホルダー（１５）は、異なるサイズの蛍光ランプ（１００）を受容するように適合された少なくとも二対の開口部（３０）を備えたことを特徴とする、請求項１または８に記載の蛍光ランプホルダーアセンブリ（１０）。
【請求項１０】
前記ランプホルダー（１５）の前記壁（５５）は、細長いドック（２５）を備え、前記第１対の開口部（３０）は、細長いドック（２５）に配置され、前記細長いドック（２５）は、蛍光灯の端部を受容可能であることを特徴とする、請求項１に記載の蛍光ランプホルダーアセンブリ（１０）。
【請求項１１】
さらにオン・オフスイッチ（１０５）をさらに備えたことを特徴とする、請求項１または１０に記載の蛍光ランプホルダーアセンブリ（１０）。
【請求項１２】
前記ランプホルダー（１５）および前記ソケット（２０）は、それぞれ対応する対向壁（１１５、１２０）に嵌合ガイド要素（１１０ａ、１１０ｂ）を備えたことを特徴とする、請求項１または１１に記載の蛍光ランプホルダーアセンブリ（１０）。
【手続補正書】
【提出日】平成26年2月25日(2014.2.25)
【手続補正１】
【補正対象書類名】実用新案登録請求の範囲
【補正対象項目名】全文
【補正方法】変更
【補正の内容】
【実用新案登録請求の範囲】
【請求項１】
［ａ］少なくとも一対の電気端子を収容する本体部を有し、前記本体部は、少なくとも一つの壁（５５）に少なくとも一対の開口部（３０）を備え、前記開口部（３０）は、電気端子の位置に対応する位置に配置され、各開口部（３０）が１つの対応する端子に通じるようになっているランプホルダー（１５）と、
［ｂ］少なくとも一対の離間電気端子を有するソケット（２０）と、を備え、
前記ランプホルダー（１５）は、少なくとも一対の平行離間脚部（３５）を備え、各平行離間脚部（３５）の一端が前記端子に接続され、各平行離間脚部（３５）の自由端が前記本体部から突出しており、
離間電気端子のそれぞれは、前記ソケット（２０）の対応する端子に前記ランプホルダー（１５）の対応する平行離間脚部（３５）を挿入することによって前記ランプホルダー（１５）がソケット（２０）に連結できるように挿入口（４５）を規定し、これによって電気接続手段を規定している、蛍光ランプホルダーアセンブリ（１０）において、
前記蛍光ランプホルダーアセンブリ（１０）は、
［ｃ］前記ランプホルダー（１５）及び前記ソケット（２０）を引き抜くことができる開放位置と、前記ランプホルダー（１５）及び前記ソケット（２０）が一緒に保持される係止位置との間で移動可能な、解除式の、弾性的に付勢された係止手段（６０）をさらに備え、
［ｄ］前記係止手段（６０）は、前記電気接続手段から隔てられており、
［ｅ］前記ランプホルダー（１５）は、二面を有し、前記壁（５５）に配置された第１対の開口部（３０）と、前記壁（５５）に対向する後壁（５６）に配置された第２対の開口部（３０）とを備え、正面から見た前記第１対の開口部（３０）と正面から見た前記第２対の開口部（３０）の向きが同一であることを特徴とする蛍光ランプホルダーアセンブリ（１０）。
【請求項２】
前記係止手段（６０）は、スナップフィット係止機構を備えたことを特徴とする、請求項１に記載の蛍光ランプホルダーアセンブリ（１０）。
【請求項３】
前記係止手段（６０）は、前記平行離間脚部（３５）の方向に前記本体部から突出しており、前記開放位置と前記係止位置の間の旋回ゾーン（８０）にて前記本体部の壁に旋回自在に配置された片持ちアーム（６５）を少なくとも備え、前記片持ちアーム（６５）の自由端には、ソケット（２０）の対応する肩部（７５）に係合するように配置された側突起（７０）が設けられていることを特徴とする、請求項１または２に記載の蛍光ランプホルダーアセンブリ（１０）。
【請求項４】
前記係止手段（６０）は、前記旋回ゾーン（８０）から片持ちアーム（６５）と反対側に突出し、前記片持ちアーム（６５）を前記開放位置と前記係止位置との間で動作させるレバーアーム（８５）をさらに備えたことを特徴とする、請求項３に記載の蛍光ランプホルダーアセンブリ（１０）。
【請求項５】
前記係止手段（６０）は、前記レバーアーム（８５）から前記ランプホルダー（１５）の本体部に向かって突出し、その係止位置で係止手段（６０）を弾性的に付勢する舌部（９０）をさらに備えたことを特徴とする、請求項４に記載の蛍光ランプホルダーアセンブリ（１０）。
【請求項６】
前記係止手段（６０）は、その外面に、把持促進表面テクスチャまたはパターン（４０）を有することを特徴とする、請求項１または５に記載の蛍光ランプホルダーアセンブリ（１０）。
【請求項７】
蛍光ランプが消灯または切れたときに作動可能な補助照明手段（９５）を備えたことを特徴とする、請求項１または６に記載の蛍光ランプホルダーアセンブリ（１０）。
【請求項８】
前記挿入口（４５）は、平型および丸型断面の平行離間脚部（３５）の両方を受容するように構成されていることを特徴とする請求項１または７に記載の蛍光ランプホルダーアセンブリ（１０）。
【請求項９】
前記ランプホルダー（１５）は、異なるサイズの蛍光ランプ（１００）を受容するように適合された少なくとも二対の開口部（３０）を備えたことを特徴とする、請求項１または８に記載の蛍光ランプホルダーアセンブリ（１０）。
【請求項１０】
前記ランプホルダー（１５）の前記壁（５５）は、細長いドック（２５）を備え、前記第１対の開口部（３０）は、細長いドック（２５）に配置され、前記細長いドック（２５）は、蛍光灯の端部を受容可能であることを特徴とする、請求項１に記載の蛍光ランプホルダーアセンブリ（１０）。
【請求項１１】
さらにオン・オフスイッチ（１０５）をさらに備えたことを特徴とする、請求項１または１０に記載の蛍光ランプホルダーアセンブリ（１０）。
【請求項１２】
前記ランプホルダー（１５）および前記ソケット（２０）は、それぞれ対応する対向壁（１１５、１２０）に嵌合ガイド要素（１１０ａ、１１０ｂ）を備えたことを特徴とする、請求項１または１１に記載の蛍光ランプホルダーアセンブリ（１０）。